(57)【特許請求の範囲】
【請求項１】
ベースに設けられたネジ止め孔を通じてベースをモールドにネジ止めし、ベース周縁に設けられた溝にステープを差し込み、モールドに沿ってウイーバーを編むことにより作成される蓋を有するナンタケットバスケットにおいて、
オーナメントの裏側に立設したボルトをベースのネジ止め孔に貫通させ、ベースの裏側からナットを嵌めることで、当該オーナメントがベースの表側に固定されており、
上記ナットは、平板状のナット埋め込み材に埋め込まれていることを特徴とするナンタケットバスケット。
【請求項２】
ナット埋め込み材のナットが埋め込まれた裏面の反対の表面には、ナンタケットバスケットの製造者又は所有者を象徴する標章が表示されている請求項１に記載のナンタケットバスケット。
【請求項３】
ベースに設けられたネジ止め孔を通じてベースをモールドにネジ止めし、ベース周縁に設けられた溝にステープを差し込み、モールドに沿ってウイーバーを編むことにより作成される蓋を有するナンタケットバスケットのベースの表側に固定されるオーナメントにおいて、
当該オーナメントは、その裏側に立設されたボルトを上記ネジ止め孔に通して、平板状のナット埋め込み材に埋め込まれたナットを当該ボルトに係合させることで固定されることを特徴とするナンタケットバスケットのオーナメント。
【請求項４】
ナット埋め込み材のナットが埋め込まれた裏面の反対の表面には、ナンタケットバスケットの製造者又は所有者を象徴する標章が表示されている請求項３に記載のナンタケットバスケットのオーナメント。
【発明の詳細な説明】
【技術分野】
【０００１】
本発明は、ベースに設けられたネジ止め孔を通じてベースをモールドにネジ止めし、ベース周縁に設けられた溝にステープを差し込み、モールドに沿ってウイーバーを編むことにより作成される蓋を有するナンタケットバスケットに関し、さらに詳細にはナンタケットバスケットの蓋の表側に取り付けられるオーナメントに関する。
【背景技術】
【０００２】
ナンタケットバスケットとは、米国のマサチューセッツ州に属するナンタケット島発祥の伝統工芸品であり、近頃では我が国への輸入量も増加し、バスケットの作り方を指導するナンタケットバスケット教室も開講されるなど、我が国でもその存在が広く知られつつある。ナンタケットバスケットの最大の特徴は、ベースを中心に編まれていることである。ベースは円形、楕円形又は長円形の板材で、オーク、チェリー、メープル、ローズウッド、エボニーなどの堅い高級木材を材料としており、周縁部には溝が刻まれている。その溝にステーブ（縦糸になる太い籐）を複数差し込み、モールド（型）に沿ってウイーバー（横糸になる細い籐）を編み込んでいくことによりバスケットを作成する。編み込み作業の間、ベースは通常、ベースに設けられた１〜２つのネジ止め孔を通じてモールドにネジ止めされている（熟練者の中にはネジ止めしない者もいる。）。編み込み作業が終了すると、ベース及びバスケット部分はモールドから取り外され、ネジ止め孔にはプラグが差し込まれて穴埋めされる。ナンタケットバスケットには蓋付きのもの（パース）があり、本体も蓋部も上述した同じ工程で作成されるが、蓋部のベースの表側のネジ止め穴を埋めた跡はオーナメントにより隠されるのが通例である。オーナメントは、象牙や陶やセイウチの牙などに絵を施し、あるいはこれらを鯨や貝の形に彫刻した立体的な飾りである。オーナメントは、オーナメントの裏面の２箇所にドリルで穴を開けて細い鋼製の棒の一端に接着剤を塗布して挿入することにより２本の鋼製の棒を立設し、ベース表面の対応する２箇所の位置にドリルで穴を開けて、オーナメントに立設された鋼製の棒の他端に接着剤を塗布して挿入してベースの表面に固定される。鋼製の棒が１本だけの場合、棒を軸に回転して、オーナメントが脱落しやすいので必ず２本以上の複数の鋼製の棒が使用される。別の方法として、オーナメントを接着剤でベースに接着することもある。ベースの裏側のネジ止め穴を埋めた跡の上には、通常はオーナメントと同じ素材により作成されたネームプレートが取り付けられる。ネームプレートには、バスケットの製造者や所有者を表象するイニシャルやロゴ等が表示される。このネームプレートもオーナメントと同様の方法によりベース裏面に固定されるが、バスケットの内部に向いており、かつオーナメントよりも小さく薄いので、接着剤が使用されることが多い。
【０００３】
従来のオーナメントの取り付け方法によると、鋼製の棒を利用しても接着剤のみの場合でも、いずれにせよベースに半永久的に固定され、取り替えることは困難であった。従って、例えばオーナメントが欠けたり変色したりした場合や所有者が何らかの理由でオーナメントを取り替えることを欲した場合には、自分では交換できないのでバスケットの製造者に付け替え作業を依頼しなければならず、時間と費用を要していた。
【発明の開示】
【発明が解決しようとする課題】
【０００４】
よって本発明の目的は、オーナメントを容易に取り替え可能なナンタケットバスケット、及び容易に取り替え可能なナンタケットバスケットのオーナメントを提供することにある。
【課題を解決するための手段】
【０００５】
上記目的を達成するために本発明は、ベースに設けられたネジ止め孔を通じてベースをモールドにネジ止めし、ベース周縁に設けられた溝にステープを差し込み、モールドに沿ってウイーバーを編むことにより作成される蓋を有するナンタケットバスケットにおいて、ベースのネジ止め孔を貫通するボルトと、ボルトに嵌められるナットとにより、ベースの表側にオーナメントを固定するようにナンタケットバスケットを構成した。
【０００６】
本発明に係るナンタケットバスケットによると、オーナメントはベースのネジ止め穴を貫通するボルトと、ボルトに嵌められるナットとにより、ベースの表側に固定される。オーナメントを取り替える際には、ナットをボルトから取り外してオーナメントをベース表側から解放し、他のオーナメントをボルト及びナットにより固定する。
【０００７】
ボルト及びナットは、オーナメントの裏側に立設したボルトをベースのネジ止め孔に貫通させ、ベースの裏側からナットを嵌めるように構成してもよく、その場合にはナットは、平板状のナット埋め込み材に埋め込まれて、むき出しのナットが美観を損なわないように隠されるようにしてもよい。さらに、ナット埋め込み材のナットが埋め込まれた裏面の反対の表面には、ナンタケットバスケットの製造者又は所有者を象徴する標章が表示されているように構成することもできる。ここに「標章」とは、例えば氏名、イニシャル、製造者標などが挙げられる。
【０００８】
また本発明は、ベースに設けられたネジ止め孔を通じてベースをモールドにネジ止めし、ベース周縁に設けられた溝にステープを差し込み、モールドに沿ってウイーバーを編むことにより作成される蓋を有するナンタケットバスケットのベースの表側に固定されるオーナメントにおいて、ベースに設けられたネジ止め孔を通じてボルト−ナット機構により固定されるようにナンタケットバスケットのオーナメントを構成した。
【０００９】
本発明に係るナンタケットバスケットのオーナメントは、ベースのネジ止め穴を通じてボルト−ナット機構によりベースの表側に固定される。オーナメントを取り替える際には、ナットをボルトから取り外してオーナメントをベース表側から解放し、他のオーナメントをボルト及びナットにより固定する。
【発明の効果】
【００１０】
以上のように、本発明に係るナンタケットバスケット、及びそのオーナメントによると、ナンタケットバスケットの蓋に取り付けられたオーナメントを容易に取り替えることができる。
【図面の簡単な説明】
【００１１】
【図１】図１は、本発明に係るナンタケットバスケットの一つの実施の形態のオーナメント及びベース部分を示す分解図である。
【図２】図２は、図１に示したオーナメントが取り付けられたナンタケットバスケットを示す斜視図である。
【発明を実施するための形態】
【００１２】
以下、図面を参照しつつ本発明に係るナンタケットバスケット及びそのオーナメントの実施の形態について詳細に説明する。なお、以下の説明は発明をより深く理解するためのものであって、特許請求の範囲を限定するためのものではない。
【００１３】
図１において、ベース２２はナンタケットバスケットを編む中心になる平面視楕円形の板状の部材であり、オーク材製である。ベース２２の周縁部には、中心に向かって溝２３が周設されている。ベース２２は、その中心に設けられたネジ止め孔２６を通じてベース２２をモールド（図示していない）にネジ止めし、溝２２にステープ（縦糸になる太い籐）を差し込み、モールドに沿ってウイーバー（横糸になる細い籐）を編んでゆき、最後にリム２５を取り付けることによりナンタケットバスケットの蓋が作成される。
【００１４】
図２はナンタケットバスケット全体を示す。ナンタケットバスケットは本体１０と蓋２０と、本体１０と蓋２０を開閉可能に接続するヒンジ３０と、本体１０に回動可能に取り付けられたハンドル４０と、本体１０と蓋２０を閉じたまま止める止め具５０とからなる。ベース２２の上面には二枚貝の形に彫刻されたアイボリー製のオーナメント２４が取り付けられている。なお本体１０も蓋２０と同様、図には表れていないベースを中心に編むことにより作成されている。
【００１５】
オーナメント２４は、図１に示すように、ボルト−ナット機構によりベース２２の上面に取り付けられている。すなわち、オーナメント２４の裏面にはボルト立設穴２４２が穿孔されており、ボルト２７の一端がボルト立設穴２４２に差し込まれ、接着剤により接着されることにより、ボルト２７がオーナメント２４の裏面に立設される。立設されたボルト２７の長さはベース２２の厚さよりもやや長く、またボルト２７の外径はネジ止め孔２６の内径よりもわずかに小さいので、ボルト２７はネジ止め穴２６を貫通して、先端がベース２２の下面から突出するようになっている。
【００１６】
ボルト２７に対応するナット２８は、円盤状のネームプレート２９の裏面に埋め込まれる。ネームプレート２９はオーナメント２４と同じアイボリー製であり、図に表れていない表面には製造者や所有者の標章（製造者標やイニシャルやロゴマーク等）や名前を表示する。ネームプレート２９の裏面にはナット２８を埋め込むために、ナット２８の外径にほぼ一致しており、ナット２８の高さとほぼ同様の深さの穴が設けられている。ナット２８は接着剤を塗布された後にネームプレート２９に埋め込まれて固定される。ボルト２７がベース２２の下面から突出した部分の長さは、ナット２８の高さよりも小さくなるように調整されている。
【００１７】
なおボルト２７及びナット２８には大きな衝撃や負荷がかかることはないので、金属製よりも軽量のポリカーボネートなどプラスチック製であることが好ましく、本実施の形態ではポリカーボネート製である。このボルト２７は、市販のポリカーボネート製なべ小ネジの頭のなべ部分を切除することにより形成されている。
【００１８】
次に、本実施の形態の作用について説明する。
【００１９】
オーナメント２４は、ナンタケットバスケットが完成した後、ベース２２に取り付けられる。まず、オーナメント２４に立設されているボルト２７を、ベース２２のネジ止め孔２６にベース２２の上面方向から挿通させる。次にベース２２の下面から突出したボルト２７の先端に、ナット２８が嵌り込むようにネームプレート２９を当接させ、ネームプレート２９をボルト２７がナット２８にねじ込まれる方向に回転させる。例えばオーナメント２４は回らないように左手で固定しておき、右手でネームプレート２９を回していく。
【００２０】
上述のように、ボルト２７の突出部分の長さはナット２８の高さよりも小さいので、ネームプレート２９を回転させていくと、ネームプレート２９はベース２２の下面に当接して、それ以上回転することができなくなる。この状態では、オーナメント２４とネームプレート２９とによりベース２２が挟まれており、オーナメント２４の下面とベース２２の上面、及びネームプレート２９の裏面とベース２２の下面との間が密着し、摩擦力が生じて、これによりオーナメント２４及びネームプレート２９がベース２２に固定される。
【００２１】
オーナメント２４が破損したり変色したりした場合や、ナンタケットバスケットの所有者がオーナメント２４を使い分けたい場合など、オーナメント２４を取り外す際には、ネームプレート２９をボルト２７からナット２８が外れる方向に回転させる。ボルト２７からナット２８が外れたら、オーナメント２４を取り替え、新たなオーナメント２４を取り付けることができる。又は、ネームプレート２９もしくはオーナメント２４とネームプレート２９の両方とも取り替えることが可能である。
【００２２】
以上のように、本実施の形態に係るナンタケットバスケットによると、ナンタケットバスケットの蓋部２０のベース２２に取り付けられたオーナメント２４を容易に取り替えることができる。
【００２３】
また本実施の形態に係るナンタケットバスケットによると、ナット２８はネームプレート２９に埋め込まれているので、ナット２８が露出してナンタケットバスケットの美観を損ねることがない。またネームプレート２９も容易に交換することができ、従って例えば所有者が代わった場合などに、前所有者のネームプレートを自らのものに交換することが可能である。
【００２４】
さらにまた、本実施の形態に係るナンタケットバスケットにおいては、オーナメント２４は製造工程の必要からベース２２に空けられていたネジ止め孔２６を利用してボルト−ナット機構により取り付けられるようにしたので、ネジ止め孔２６を穿孔する工程は不要であり、かつ従来のオーナメント取り付けの定法によるネジ止め孔２６を埋める作業、オーナメント及びネームプレートに金属棒を固定する作業、ベースに金属棒が挿入される穴を空ける作業が不要であるため、製造工程がかなり簡略化されるという利点も生じる。
【００２５】
本発明に係るナンタケットバスケットの他の実施の形態においては、上記の実施の形態とは逆に、ネームプレート側にボルトを立設し、オーナメント側にナットが埋め込まれる。
【００２６】
本発明に係るナンタケットバスケットのさらに他の実施の形態においては、オーナメントにはベースの厚さよりも短いボルトが立設され、ナットはベースの裏面からネジ止め孔に埋め込まれている。ナットを埋め込むために、ネジ止め孔はナットの形状及び高さに合致するように拡張されて、その上から目止めのためのプラグが挿入される。さらにその上にネームプレートを接着剤等により取り付けることもできる。
【００２７】
以上、本発明の実施の形態について説明したが、本発明は上記実施の形態に限定されるものではなく、本発明の要旨の範囲内において、適宜変形実施が可能であることは言うまでもない。
【符号の説明】
【００２８】
２２  ベース
２３  溝
２４  オーナメント
２４２  ボルト立設穴
２６  ネジ止め孔
２７  ボルト
２８  ナット
２９  ネームプレート
【図１】
0005276071.tif 000002
【図２】
0005276071.tif 000003